(57)【要約】自由呼吸ナビゲータゲート３Ｄ冠動脈磁気共鳴血管造影法と、ＳＥＮＳＥイメージングとの新たな併用が説明される。３Ｔ（テスラ）の主磁場に２のＳＥＮＳＥリダクションファクタを適用することにより、 通常の取得と比較された場合、半分のスキャン時間において、左右の冠状動脈システムの長い部位を画像化することが可能になる。【特許請求の範囲】
【請求項１】
複数の受信アンテナ位置から取得される複数の信号から、被検査体の画像を形成するための磁気共鳴イメージング方法であって、
ＭＲ信号が、読み出し傾斜磁場及び他の傾斜磁場を印加することによって、ｋ空間に複数のラインを含む予め決定された軌跡に沿って測定されるのに対して、ナビゲータ傾斜磁場が、ナビゲータＭＲ信号の測定のために印加され、
位相補正が、前記測定されたＭＲ信号を補正するように、前記ナビゲータＭＲ信号のモジュラス及び位相から決定され、前記被検査体の一部の画像が、前記補正されたＭＲ信号から決定され、各々の前記受信アンテナ位置が空間感度プロファイルをもち、磁気共鳴画像が、アンダーサンプリングされた磁気共鳴信号、前記各々の受信アンテナ位置の前記空間感度プロファイル及び前記ナビゲータ信号から再構成される、磁気共鳴イメージング方法。
【請求項２】
少なくとも２．５テスラの高い静磁場強度において実施される、請求項１に記載の磁気共鳴イメージング方法。
【請求項３】
３Ｄ冠動脈磁気共鳴血管造影法において実施される、請求項１又は２に記載の磁気共鳴イメージング方法。
【請求項４】
磁気共鳴イメージングシステムであって、
主磁場をもつ静的な主磁石と、
複数の受信アンテナ位置をもつ少なくとも一つの受信アンテナと、
読み出し傾斜磁場及び他の傾斜磁場を印加する手段と、
ｋ空間に複数のラインを含む予め決定された軌跡に沿ってＭＲ信号を測定する手段と、
ナビゲータＭＲ信号の測定のためにナビゲータ傾斜磁場を印加する手段と、
前記測定されたＭＲ信号を補正するように、前記ナビゲータＭＲ信号のモジュラス及び位相から位相補正を決定する手段と、
前記補正されたＭＲ信号から被検査体の一部の画像を決定する手段と、
各々の受信アンテナ位置が空間感度プロファイルをもち、アンダーサンプリングされたＭＲ信号を取得するための受信アンテナシステムと、
前記アンダーサンプリングされたＭＲ信号、前記各々の受信アンテナ位置の前記空間感度プロファイル及び前記ナビゲータ信号から、磁気共鳴画像を再構成する手段と、
を有する磁気共鳴イメージングシステム。
【請求項５】
磁気共鳴方法によって画像を形成するための、コンピュータ使用可能な媒体に記憶されたコンピュータプログラムであって、
読み出し及び他の傾斜磁場を印加するステップと、
ｋ空間に複数のラインを含む予め決定された軌跡に沿ってＭＲ信号を測定するステップと、
ナビゲータＭＲ信号の測定のためにナビゲータ傾斜磁場を印加するステップと、
前記測定されたＭＲ信号を補正するように、前記ナビゲータＭＲ信号のモジュラス及び位相から位相補正を決定するステップと、
前記補正されたＭＲ信号から被検査体の一部の画像を決定するステップと、
各々の受信アンテナ位置が空間感度プロファイルをもつ、受信アンテナシステムからアンダーサンプリングされたＭＲ信号を取得するステップと、
前記アンダーサンプリングされたＭＲ信号、前記各々の受信アンテナ位置の前記空間感度プロファイル及び前記ナビゲータ信号から、磁気共鳴画像を再構成するステップと、
の実行をコンピュータに制御させるコンピュータ読み取り可能なプログラム手段を有するコンピュータプログラム。
【請求項６】
間質部分への漏出が低減された血管内造影剤が、イメージング前に人体に投与される、請求項１に記載の磁気共鳴イメージング方法。
【請求項７】
前記造影剤が長いプラズマ半減期をもつ、請求項６に記載の磁気共鳴イメージング方法。
【請求項８】
前記造影剤が、低分子量のＧｄベースのキレート剤である、請求項６に記載の磁気共鳴イメージング方法。
【発明の詳細な説明】
【技術分野】
【０００１】
本発明は、請求項１のプリアンブル部によれば、複数の受信アンテナ位置から取得される複数の信号から被検査体の画像を形成するための磁気共鳴イメージング方法であって、ＭＲ信号が、リードグラディエント（read-gradient，以下、読み出し傾斜磁場とする）及び他のグラディエント（gradient，以下、傾斜磁場とする）を印加することによって、ｋ空間に複数のラインを含む予め決定された軌跡（trajectory，トラジェクトリ）に沿って測定されるのに対して、ナビゲータ傾斜磁場が、ナビゲータＭＲ信号の測定のために印加される、磁気共鳴イメージング方法に関する。更に、本発明は、請求項４及び請求項５のプリアンブル部による、上記方法を実行するための磁気共鳴装置及びコンピュータプログラムにも向けられている。
【背景技術】
【０００２】
このようなナビゲータゲート（navigator-gated）方法は、例えば、自由呼吸（free-breathing，フリーブレス）ナビゲータゲート３Ｄ冠動脈磁気共鳴血管造影法（ＭＲＡ）として知られている。この方法は、例えば、Botnar RMらによる１９９９年発行の会報（Circulation）；第９９巻：３１３９〜３１４８頁、Stuber Mらによる１９９９年発行のJ.Am.Coll.Cardiol.誌；第３４巻：５２４〜５３１頁、又はBrittainらによる１９９５年発行のＭＲＭ誌；第３３巻：６８９〜６９６頁に説明された冠状動脈システムの視覚化にとって貴重な技法であることが明らかになっている。
【発明の開示】
【発明が解決しようとする課題】
【０００３】
しかし、ナビゲータ効率が制限されるため、１つの３Ｄボリューム全体を取得するための時間が比較的長くかかる。
【０００４】
本発明の目的は、ＭＲデータを取得するためのスキャン時間の短縮により、上記に記載されたナビゲータゲート方法を改善することにある。
【課題を解決するための手段】
【０００５】
この目的は、請求項１による磁気共鳴イメージング方法と、請求項４による磁気共鳴イメージングシステムと、請求項５によるコンピュータプログラムとによって達成される。
【０００６】
本発明は、原則として、Pruessmann KPらによる１９９９年発行のＭＲＭ誌；第４２巻：９５２〜９６２頁によって説明されたＳＥＮＳＥのようなパラレルイメージング（parallel imaging，並列撮像）手法と本技法との組み合わせによって、スキャン時間の大幅な短縮が可能になるという洞察に基づくものである。ＳＥＮＳＥ法を適用すると、位相エンコードのステップの数を減少させ、それゆえ、高分解能冠動脈ＭＲＡにおいて重要になるであろう、固有の信号対雑音比（ＳＮＲ）を低下させる。このために、ＳＥＮＳＥのようなパラレルイメージングと、ナビゲータゲート及び補正（navigator-gated and corrected）３Ｄ冠動脈ＭＲＡとのいかなる組み合わせも実現可能であると未だ認識されていない。
【０００７】
しかしながら、驚くべきことに、少なくとも２．５Ｔ（テスラ）のより高い主磁場でＳＮＲが本質的に高まる、コンパクトな３Ｔ全身用ＭＲシステムが、ＳＥＮＳＥ技法の上述された欠点を補償することが分かった。従って、驚くべきことに、３Ｔシステムにおいて実施された冠動脈ＭＲＡは、冠動脈ＭＲＡとＳＥＮＳＥとの組み合わせを成功させるための好ましい予備的な条件をもたらした。
【０００８】
本発明のこれら及び他の態様は、従属請求項に規定された好ましい実施態様を参照して詳しく説明されるであろう。
【発明を実施するための最良の形態】
【０００９】
この説明では、複数の受信アンテナ又はコイルが用いられる。但し、さまざまな異なる受信位置において、単一の受信コイル又はアンテナをもつＳＥＮＳＥ方法を実現することも可能である。
【００１０】
３Ｔの主磁場において増大されたＳＮＲは、パラレルイメージング手法にとって好ましい条件を提供する。従って、ＳＥＮＳＥイメージングは、少なくとも２．５Ｔの静磁場強度での自由呼吸ナビゲータゲート及び補正３Ｄ冠動脈ＭＲＡと組み合わせられる。左冠状動脈システム及び右冠状動脈システムの双方は、２人の健康な被検者に対してＳＥＮＳＥリダクションを用いる場合及び用いない場合において、良好に視覚化された。ＳＥＮＳＥ法を適用することは、冠動脈血管の可視性を損なうことなく、スキャン時間短縮を可能にする。
【００１１】
自由呼吸ナビゲータゲート及び補正ダブルオブリーク（double-oblique）３Ｄ冠動脈ＭＲＡが、受信／送信コイル及びベクトルＥＣＧを搭載したフィリップス社製３Ｔインテラ（Intera）全身用ＭＲユニット（フィリップスメディカルシステムズ社、オランダ国ベスト）において実施された。２人の健康な成人のボランティアが検査された。ＳＥＮＳＥ取得を可能にするために、６つのコイル素子が、最適な信号の受け取りのために使われた。６つのコイル素子のうち、２つのコイル素子は胸壁側に位置付けられ、他の２つは背中側に位置付けられ、更に、左右の側に１つずつ位置付けられた。検査の始めに、ＳＥＮＳＥリファレンススキャン（reference scan）が、各々のコイルの感度を決定するために取得された。セグメント化されたｋ空間グラディエントエコーシーケンスを具える後続のイメージングシーケンスパラメータは、１０回の励起／Ｒ−Ｒ間隔、ＴＲ＝８．１ｍｓ，ＴＥ＝２．４ｍｓ，α＝３０°を含んでいた。３６０×２７０ｍｍ２の視野が、５１２×３９１マトリックスによりサンプリングされた。３mm厚の１０スライスが取得され、２０スライスまで補間（ゼロフィリング）された。スペクトル的に選択できる脂肪飽和(fat-saturation)及びＴ２プリパレーション（preparation; prep）が、取得部の前に加えられた。左右の冠状動脈システムは、ＳＥＮＳＥリダクションを用いない場合と、２のリダクションファクタ（Ｒ）を用いた場合とにおいて、それぞれ２回測定された。ナビゲータ効率が６０%を上回った１人のボランティアにおいては、Ｒ＝３をもつ右冠状動脈（ＲＣＡ）の３番目のスキャンを実施するのに十分な時間があった。ＳＥＮＳＥ折り返し（fold-over，フォールドオーバー）方向は、常に前後方向に選択された。血管のより良好な視覚化のために、各々の３Ｄデータセットが、マルチプラナにより再フォーマット化された。
【００１２】
全ての事例において、ＳＥＮＳＥ法を用いる場合のスキャン及びＳＥＮＳＥ法を用いない場合のスキャンが良好に実施されることが可能であった。図１には、ＳＥＮＳＥ法を用いずに取得されたマルチプラナ再フォーマット化データセット（ａ，ｃ）と、２のリダクションファクタによるＳＥＮＳＥ法を用いて取得されたマルチプラナ再フォーマット化データセット（ｂ，ｄ）とが示されている。図２には、３のＳＥＮＳＥリダクションファクタにより取得された冠動脈ＭＲＡが示されている。全てのデータセットは、左回旋枝（ＬＣＸ：left circumflex）、左前下行枝（ＬＡＤ:left anterior descending）及び／又はＲＣＡの拡張部を視覚化することが可能であった。予想通りに、最も高い主観的な画質が、ＳＥＮＳＥ法を用いない場合（図１ａ，ｃ）に得られた。しかしながら、同等の画質が、Ｒ＝２によるＳＥＮＳＥスキャンを用いた場合（図１ｂ，ｄ）においても、又はＲ＝３によるＳＥＮＳＥスキャンを用いた場合（図２）においてさえも達成された。更に、ＳＥＮＳＥ法を適用することは、５０％の平均ナビゲータ効率の場合、スキャン時間を、約１２分間（ＳＥＮＳＥ法を用いない場合）から、６分間（Ｒ＝２）又は４分間（Ｒ＝３）にそれぞれ短縮させることを可能にした。
【００１３】
結論として、少なくとも３Ｔの静磁場強度における３Ｄ冠動脈ＭＲＡが、ＳＥＮＳＥイメージングと組み合わされることに成功したことが示される。２のＳＥＮＳＥリダクションファクタを適用すると、ＳＥＮＳＥ法を用いない場合の取得と比較された場合、半分のスキャン時間において左右の冠状動脈システムの長い部位を画像化することが可能になる。更に、３のリダクションファクタにより得られた画像は、高磁場システムにおいてパラレルイメージングを適用することの潜在的可能性についても示唆する。
【００１４】
磁気共鳴血管造影法（ＭＲＡ）は、近位冠状動脈の視覚化にとって有望な技法であることが示されている。とりわけ、最先端の技法は、高分解能の３Ｄ画像取得、自由呼吸時のナビゲータベースのスキャン、並びに脂肪抑制及び心筋抑制（Ｔ２prep.，Ｔ２プリパレーション）に関するプリパレーションパルスを含む。しかし、血液と心筋との間においては更に改善されるコントラスト及び更に強化される信号が望ましく、そのために、造影剤の付与は、特に、より遠位血管又は分岐血管にとって非常に有用であり得る。種々の血管内造影剤が市販されている。特定の血管内造影剤は、間質部分（interstitial compartment）への減少された漏出を特徴としており、そのような造影剤の中には、Ｂ−２２９５６のような長いプラズマ半減期を特徴とする造影剤もある。従って、これら造影剤は、血液のＴ１緩和を著しく低下させ、心筋のＴ１緩和に対して軽微な影響のみを示す。本発明では、３Ｄ自由呼吸ナビゲータゲート及び補正グラディエントエコーシーケンスが、Ｂ２２９５６１（Bracco S.p.A.社, イタリア国ミラノ市）とコード化された新たな血管内の低分子量のＧｂベースのキレート剤を用いて、コントラスト強調(contrast-enhanced)冠動脈ＭＲＡについて適応化されている。造影剤は６人の健康なボランティアに与えられ、造影剤投与を行わない場合のＴ２磁化を準備されたスキャンと客観的に比較された。
【００１５】
６人の健康な成人の被検者が、５素子心臓シナジーコイル及びベクトルＥＣＧを備えた市販されている１．５Ｔフィリップス社製Gyroscan ACS-NTシステム（フィリップス社、オランダ国ベスト）において研究された。各々のボランティアに対して、造影剤が人体に投与された５分後、ダブルオブリーク３Ｄ冠動脈ＭＲＡが実施された。比較のために、Ｔ２プリパレーション２，３（Ｔ２prep.）によるベースライン冠動脈ＭＲＡが、造影剤ありスキャンの前に実施された。造影剤投与後のイメージングシーケンスは、自由呼吸ナビゲータゲート３Ｄセグメント化されたｋ空間グラディエントエコーシーケンスであった。３６０ｍｍの視野は、５１２×５１２マトリックスによりサンプリングされ、０．７× ０．７ｍｍ２の面内（in-plane）空間分解能をもたらした。３ｍｍ厚の１０スライスが取得され、１．５ｍｍ厚をもつ２０スライスまで補間された。ＴＲは７．５ミリ秒（ｍｓ）、ＴＥは ２．１ミリ秒であった。ノンコントラスト(non-contrast)強調のベースライン冠動脈ＭＲＡの場合、Ｔ２prep.が使われ、反転回復プリパルスが造影剤ありスキャンに加えられた。反転部と画像取得部との間の時間遅延は、心筋信号（Ｔ１＝１８０ミリ秒）をゼロにするために調整された。反転プリパルスが非スライス選択式であるので、これはナビゲータゲーティングのためのインタフェースとして使われる横隔膜（diaphragm，ダイヤフラム）の磁化にも影響を及ぼす。従って、ナビゲータ回復パルス（NavRestore，Stuberらによる２００１年発行のＭＲＭ誌：第４５巻：２０６〜２１１頁参照）が実現され、これにより、反転プリパルス直後にナビゲータカーネルの長手方向の磁化を局所的に再反転させる。各々のナビゲータゲートスキャンの前に、２５ＲＦ励起のプリパレーションフェーズが、横隔膜の最も頭側の呼気終末位置の正確な決定のために実施される（＝ナビゲータプリパレーションフェーズ）。後続の取得部では、この呼気終末の位置が、相対的な呼吸性横隔膜変位を計算するために使われる。このプリパレーションフェーズ時及び実際のイメージングフェーズ時、横隔膜において同様の磁化条件をもつために、更に、プリパルス（造影剤なしスキャンについてはＴ２prep.；造影剤ありスキャンについては反転回復及びNavRestore）が、ＥＣＧトリガされたナビゲータプリパレーションフェーズ時に実施された。コントラスト強調検査のために、０．０７５ミリモル（ｍｍｏｌ）／ｋｇ体重のＢ２２９５６が、静脈内へ１５０秒（ｓ）にわたって投与された。データ取得は、造影剤注入終了後、５分たってから開始された。その後、ＳＮＲ、ＣＮＲ及び血管の鮮明度の評価が、造影剤投与前（pre-contrast）スキャンと、造影剤投与後（post-contrast）スキャンとの客観的比較のために実施された。
【００１６】
反転回復プリパルスの印加は、非常に効率的に心筋を抑制した。血液の増大された緩和度（relaxivity）は、冠状動脈の良好な視覚化を可能にするだけでなく、より一層遠位のセグメント又は分岐血管についてさえ良好な視覚化を可能にする。図３ａには、Ｔ２prep.を用いて取得されたマルチプラナにより再フォーマット化された画像が示され、図３ｂには、同じ被検者において得られた造影剤により増強された反転回復の取得が示されている。客観的に決定された画質パラメータの比較は、コントラスト強調冠動脈ＭＲＡについて高められた値を示す。
【表１】
2005525187.tif 000002
【００１７】
反転回復シーケンスに関連してＢ２２９５６を用いて取得することは、Ｔ２prep.のノンコントラスト強調スキャンと比較された場合、ＳＮＲ（３９%、Ｐ＜０．０５）、ＣＮＲ（９５%、Ｐ＜０．０１）及び血管の鮮明度（１９%、Ｐ＜０．０５）という著しい増加をもたらした。その胆汁中排泄（biliary excretion）の高い比率のため、NavRestoreと共にＢ−２２９５６を投与することは、高い肝信号をもたらし、これは、リアルタイムのナビゲータ技術の使用を容易にした。図３は、ボランティアにおいて得られたナビゲータ信号を示している。呼気終末位置を決定するために、ナビゲータのプリパレーションフェーズが、磁化プリパルスの印加によりトリガされて、実施される。すなわち、図３ａではＴ２prep.シーケンスが用いられ、図３ｂでは反転回復及びNavRestoreプリパルスと共にＢ−２２９５６が用いられた。更に、トリガされたナビゲータプリパレーションフェーズ時の磁化プリパレーションパルス（Ｔ２prep.並びに反転及びNavRestore）の印加は、プリパレーションフェーズ時及びスキャンフェーズ時の双方において、信頼性の高い呼気終末の横隔膜位置の決定を確実にした。
【００１８】
新たな造影剤Ｂ２２９５６は、自由呼吸ナビゲータゲート及び補正の反転回復３Ｄ冠動脈ＭＲＡとの併用に成功したことが結論付けられ得る。血液の減少されたＴ１と、上記の造影剤の良好な血管内の性質（intravascularity）は、左冠状動脈システムの分岐血管及びより遠位のセグメントの視覚化を可能にし、心筋信号がほぼ完全に抑制された。
【００１９】
図４は、本発明が用いられる磁気共鳴イメージングシステムを概略的に示している。
【００２０】
磁気共鳴イメージングシステムは、安定した一様な磁場が生成される主コイル１０の組を含んでいる。主コイルは、例えば、これらのコイルがトンネル形の検査空間を囲むように構成される。検査されるべき患者は、検査台に載ってこのトンネル形の検査空間の中に滑り込むように入ってゆく。磁気共鳴イメージングシステムは、更に、複数のグラディエントコイル１１及び１２を含み、これらのコイルによって、特に個別の方向における一時的な傾斜磁場の形態で空間的なバリエーションを示す磁場が、一様な磁場に重ねられるように、生成される。グラディエントコイル１１及び１２は、制御可能な電源ユニット２１に接続されている。グラディエントコイル１１及び１２は、電源ユニット２１を用いて電流を印加することによって励磁される。傾斜磁場の強度、方向及び持続期間は、電源ユニットの制御によって制御される。更に、この磁気共鳴イメージングシステムは、ＲＦ励起パルスを生成するため及び磁気共鳴信号を拾う（pick up，ピックアップする）ために、送信及び受信コイル１３，１５を含んでいる。送信コイル１３は、好ましくは、検査されるべき被検査体（の一部）が囲まれ得るボディコイルとして構成される。このボディコイルは、通常、磁気共鳴イメージングシステムに配される検査されるべき患者３０が、ボディコイル１３によって囲まれるように、磁気共鳴イメージングシステムに設けられている。ボディコイル１３は、ＲＦ励起パルス及びＲＦリフォーカシング(refocusing)パルスの送信用の送信アンテナとして作用する。好ましくは、ボディコイル１３は、送信されたＲＦパルスの空間的に一様な強度分布(intensity distribution)を伴う。受信コイル１５は、好ましくは、検査されるべき患者３０の身体の上又はその身体の近傍に設けられる表面コイル１５である。このような表面コイル１５は、空間的に不均質でもある磁気共鳴信号の受け取りに対して高感度を有する。このことは、個々の表面コイル１５が、専ら、別個の方向から生じる磁気共鳴信号、すなわち、検査されるべき患者の身体の空間における別個の部位から生じる磁気共鳴信号に対して感度が高いことを意味する。コイル感度プロファイルは、表面コイルの組の空間的感度を表す。送信コイル、特に、表面コイルが、復調器２４に接続され、受け取られた磁気共鳴信号（ＭＳ）は、この復調器２４によって復調される。復調された磁気共鳴信号（ＤＭＳ）は、再構成ユニットに与えられる。この再構成ユニットは、復調された磁気共鳴信号（ＤＭＳ）から、表面コイルの組のコイル感度プロファイルに基づいて、磁気共鳴画像を再構成する。コイル感度プロファイルは、前もって測定され、例えば、再構成ユニットに含まれるメモリユニットに電子的に記憶される。再構成ユニットは、復調された磁気共鳴信号（ＤＭＳ）から一つ又は複数の画像信号を導き出す。この画像信号は、可能性として連続した一つ又は複数の磁気共鳴画像を表す。このことは、このような磁気共鳴画像の画像信号の信号レベルが、当該磁気共鳴画像の輝度値を表すことを意味する。実際には、再構成ユニット２５は、好ましくは、復調された磁気共鳴信号から、コイル感度プロファイルに基づいて、磁気共鳴画像を再構成するようにプログラムされるデジタル画��処理ユニット２５として構成される。デジタル画像処理ユニット２５は、特に、いわゆるＳＥＮＳＥ技法又はいわゆるＳＭＡＳＨ技法に従って再構成を実行するようにプログラムされる。再構成ユニットからの画像信号はモニタ２６に与えられ、このモニタが（複数の）磁気共鳴画像の画像情報を表示することができる。他の処理、例えば、ハードコピーの形態での印刷を待つ間、画像信号をバッファユニット２７に記憶することも可能である。
【００２１】
検査されるべき患者の磁気共鳴画像又は一連の連続した磁気共鳴画像を形成するために、患者の身体は、検査空間に存在する磁場にさらされる。安定した一様な磁場、すなわち、主磁場は、検査されるべき患者の身体における僅かに余分な数のスピンを、この主磁場の方向に向ける。これは、身体に（僅かな）正味の巨視的磁化を生成する。これらのスピンは、例えば、水素核（陽子）から成るような核のスピンであるが、電子スピンが更に関連してもよい。磁化は、傾斜磁場（gradient field,グラディエントフィールド）を印加することによって局所的に影響される。例えば、グラディエントコイル１２は、身体のやや薄いスライスを選択するために、選択傾斜磁場を印加する。その後、送信コイルは、検査されるべき患者の画像化されるべき部位が位置する検査空間に、ＲＦ励起パルスを印加する。このＲＦ励起パルスは、選択されたスライスにおけるスピンを励起し、すなわち、正味の磁化は、主磁場の方向について歳差運動を実施する。この動作中、スピンが励起され、このスピンは、主磁場のＲＦ励起パルスの周波数帯域内にラーモア（Larmor）周波数を有する。但し、より一層大柄な男性の身体の一部における上記のような薄いスライスにてスピンを励起させることも非常に良好に可能である。この場合、例えば、スピンは、身体中の３つの方向に実質的に延在する３次元の部位において励起されることができる。ＲＦ励起後、スピンはゆっくり初期状態に戻り、巨視的磁化は平衡の（熱）状態に戻る。そのとき、緩和するスピンが磁気共鳴信号を発する。読み出し傾斜磁場及び位相エンコード傾斜磁場を印加することにより、磁気共鳴信号は、例えば、選択されたスライスにおける空間位置をエンコードする複数の周波数成分を有する。ｋ空間は、読み出し傾斜磁場及び位相エンコード傾斜磁場の印加によって、磁気共鳴信号によりスキャンされる。本発明によれば、特に、位相エンコード傾斜磁場を印加することは、磁気共鳴画像の予め決定された空間分解能と関連して、ｋ空間のサブサンプリングをもたらす。例えば、磁気共鳴画像の予め決定された分解能にとってはあまりに少ない数のライン、例えば、半分の数のラインのみが、ｋ空間においてスキャンされる。
【図面の簡単な説明】
【００２２】
【図１ａ】ＳＥＮＳＥ法による取得を用いずに測定された左右の冠状動脈システムを示す図である。
【図１ｂ】ＳＥＮＳＥ法による取得を用いて測定された左右の冠状動脈システムを示す図である。
【図２】３のＳＥＮＳＥファクタにより取得された右の冠状動脈を示す図である。
【図３ａ】Ｔ２prep取得のマルチプラナにより再フォーマット化された画像が示される図である。
【図３ｂ】同じ被検者において得られた、造影剤により増強された反転回復の取得が示される図である。
2005525187.tif 000003
【図２】
2005525187.tif 000004
2005525187.tif 000005
2005525187.tif 000006
【国際調査報告】
2005525187.tif 000007
2005525187.tif 000008